(57)【特許請求の範囲】
【請求項１】
衣類の繊維とメカニカルな係止をなす係止部を基材シートに多数有する係止シートと、この係止シートと対向し、前記係止部を被覆する対向シートを有し、
前記係止シートと前記対向シートが対向状態で、製品の前身頃の胴開口部より股下側の外面側に固定され、
前記係止シートと前記対向シートの対は、胴開口部側が開き可能であり、
吸収性物品及び上半身衣類を着用した段階で、前記係止シートと前記対向シートとの間の胴開口部側が開かれ、その間で上半身衣類の端部が挟み込まれ、かつ、上半身衣類の繊維と係止シートの係止部群とが係止されるように構成されていることを特徴とする使い捨て吸収性物品。
【請求項２】
前記係止シートと前記対向シートの対は、股下側にも開き可能であり、
吸収性物品及び下半身衣類を着用した段階で、前記係止シートと前記対向シートとの間の股下側が開かれ、その間で下半身衣類の端部が挟み込まれ、かつ、下半身衣類の繊維と係止シートの係止部群とが係止されるように構成されている請求項１記載の使い捨て吸収性物品。
【請求項３】
胴開口部側が開き可能である係止シートと対向シートの前記対とは別に、
股下側が開き可能である係止シートと対向シートの対を、製品の前身頃の胴開口部より股下側の外面側に設け、
吸収性物品及び下半身衣類を着用した段階で、股下側が開き可能である係止シートと対向シートとの間の股下側が開かれ、その間で下半身衣類の端部が挟み込まれ、かつ、下半身衣類の繊維と係止シートの係止部群とが係止されるように構成されている請求項１記載の使い捨て吸収性物品。
【請求項４】
製品の前身頃の胴開口部に近い股下側の第１の位置と、胴開口部から遠い第２の位置とにおいて、少なくとも胴周り方向に間隔をおいて、前記係止シートと前記対向シートとの複数の対が対向状態で、製品の外面側に固定され、
前記第１の位置のシート対は股下側が開き可能であり、前記第２の位置のシート対は胴開口部側が開き可能である請求項３に記載の使い捨て吸収性物品。
【請求項５】
製品状態で、前記係止シートと前記対向シートとは対向状態で製品の前身頃の胴開口部より股下側の外面側に予め固定されている、請求項１〜４のいずれか１項に記載の使い捨て吸収性物品。
【請求項６】
前記係止シートと前記対向シートとは製品の付属品として提供され、使用時に前記係止シートと前記対向シートとが、対向状態でその一方のシートを介して製品の外面に固定可能とされている請求項１〜４のいずれか１項に記載の使い捨て吸収性物品。
【請求項７】
前記係止シートと前記対向シートは、その一部が結合された結合部が形成され、
前記係止シートと前記対向シート間の係止を一時的に解いた状態においても、前記係止シートと前記対向シートは前記結合部で結合されており、
胴開口部側が開く係止シートと対向シートの対においては、前記結合部はシート対の下半身側に設けられる請求項１記載の使い捨て吸収性物品。
【請求項８】
前記係止シートと前記対向シートは、その一部が結合された結合部が形成され、
前記係止シートと前記対向シート間の係止を一時的に解いた状態においても、前記係止シートと前記対向シートは前記結合部で結合されており、
胴開口部側と股下側の両方に開く係止シートと対向シートの対においては、前記結合部はシート対の中間に設けられる請求項２記載の使い捨て吸収性物品。
【請求項９】
前記係止シートと前記対向シートは、その一部が結合された結合部が形成され、
前記係止シートと前記対向シート間の係止を一時的に解いた状態においても、前記係止シートと前記対向シートは前記結合部で結合されており、
胴開口部側が開く係止シートと対向シートの対においては、前記結合部はシート対の下半身側に設けられ、
股下側が開く係止シートと対向シートの対においては、前記結合部はシート対の上半身側に設けられる請求項３記載の使い捨て吸収性物品。
【発明の詳細な説明】
【技術分野】
【０００１】
本発明は、テープタイプ、パンツタイプ、パッドタイプの使い捨ておむつなどの使い捨て吸収性物品に関し、特に、乳幼児がおむつを着用した場合に生じるおむつのずれと、衣服とおむつの間から乳幼児の腹部が露出することを防ぐことができるようにした係止シートと対向シートに特徴を有する使い捨て吸収性物品に関するものである。
【背景技術】
【０００２】
一般的な使い捨て紙おむつは、弾性部材の素材や配置等に様々な工夫を加えて、おむつのずれを防止している。しかし、乳幼児の腹部は突出した形状をしていることが多いため、そのような腹部に対して締付力の強い弾性部材を用いると、おむつが腹部の下方へと余計にずれやすくなる。また、弾性部材の痕が肌に付き、そこからかぶれが生じることもある。
【０００３】
一方、おむつの外装材は、水分を含んで柔らかくなった肌の表面に傷をつけてかぶれを生じさせないようにするため、および、おむつの製造時に、製品をパッケージ内へスムーズに封入するとともに、その封入過程で製品の整列が乱れないようにするために、摩擦力の小さい素材を用いている。おむつを着用した上から、乳幼児の腹部を覆うようにして衣類を着用した場合、腹部が突出している乳幼児の体形と、摩擦力の小さい素材で形成されたおむつの外装材の二要因が重なって、次第に衣類がめくれて腹部が露出してしまうことが多い。
【０００４】
このような腹部の露出は、ロンパースやワンピースなどの上下が繋がった衣服を着ることで解決することができる。しかし、そのような衣服を着せることに面倒を感じたり、便や尿がおむつから漏れた場合に上下が繋がった衣服を全部取り替えることに面倒を感じたりする保護者は、できるならばそのような衣服を着せなくとも、腹部の露出が防げるようになって欲しいと考えている。
【０００５】
下記特許文献１には、止着ワッペンを備えたパンツ式紙おむつが開示されている。この止着ワッペンには、任意の絵柄、模様、文字等が施されており、紙おむつ本体の外面に対し自由に何度でも着脱することができ、乳幼児の知育目的や、紙おむつ本体の身体への締め付け、サイドシール部の破損時における脇部補修などの目的に用いられる。
また、下記特許文献２には、前身頃の外面にウエスト拡張部を設け、装着者のお腹が丸く張り出していたりする場合に、ウエスト拡張部を引き上げてお腹を包むように拡張し、腹側におけるウエストに対するフィット性を向上させることができるパンツタイプの使い捨て紙おむつが開示されている。
【先行技術文献】
【特許文献】
【０００６】
【特許文献１】特開２００９−２９７５４７号公報
【特許文献２】特開２０１１−１８９０６８号公報
【発明の概要】
【発明が解決しようとする課題】
【０００７】
しかし、特許文献１記載のパンツ式紙おむつは、止着ワッペンを用いておむつの締め付けを行うことはできるが、そのような締め付けを行っても、腹部が突出した乳幼児の体形によって、おむつが腹部の下方へとずれ落ちてしまう。また、特許文献２記載のパンツタイプ使い捨ておむつは、ウエスト拡張部によって腹部の露出を防ぐことはできるが、ウエスト拡張部の寸法分、吸収体のずれ落ちが発生して脚回りに隙間が生じ、便や尿の漏れが発生してしまう可能性を否定できない。
【０００８】
本発明の主たる課題は、おむつのずれと、着用者の腹部の露出を防ぐことができる使い捨て吸収性物品を提供することにある。
【課題を解決するための手段】
【０００９】
上記課題を解決した本発明は次記のとおりである。
＜請求項１記載の発明＞
衣類の繊維とメカニカルな係止をなす係止部を基材シートに多数有する係止シートと、この係止シートと対向し、前記係止部を被覆する対向シートを有し、
前記係止シートと前記対向シートが対向状態で、製品の前身頃の胴開口部より股下側の外面側に固定され、
前記係止シートと前記対向シートの対は、胴開口部側が開き可能であり、
吸収性物品及び上半身衣類を着用した段階で、前記係止シートと前記対向シートとの間の胴開口部側が開かれ、その間で上半身衣類の端部が挟み込まれ、かつ、上半身衣類の繊維と係止シートの係止部群とが係止されるように構成されていることを特徴とする使い捨て吸収性物品。
【００１０】
（作用効果）
本発明では、係止シートによって衣類の端部と吸収性物品を繋ぐことで、衣類と吸収性物品間の隙間を無くす、若しくは少なくすることができる。したがって、例えば、腹部が突出した形状の乳幼児が本発明に係る使い捨て吸収性物品を着用した場合であったとしても、衣類が捲れないため、腹部の露出を防ぐことができる。また、おむつが衣類に固定された状態となるため、おむつのずれ落ちも防ぐこともできる。
【００１１】
＜請求項２記載の発明＞
前記係止シートと前記対向シートの対は、股下側にも開き可能であり、
吸収性物品及び下半身衣類を着用した段階で、前記係止シートと前記対向シートとの間の股下側が開かれ、その間で下半身衣類の端部が挟み込まれ、かつ、下半身衣類の繊維と係止シートの係止部群とが係止されるように構成されている請求項１記載の使い捨て吸収性物品。
【００１２】
（作用効果）
吸収性物品が下半身の衣類と繋がった状態となるため、吸収性物品のずれ落ちを防ぐことができる。
【００１３】
＜請求項３記載の発明＞
胴開口部側が開き可能である係止シートと対向シートの前記対とは別に、
股下側が開き可能である係止シートと対向シートの対を、製品の前身頃の胴開口部より股下側の外面側に設け、
吸収性物品及び下半身衣類を着用した段階で、股下側が開き可能である係止シートと対向シートとの間の股下側が開かれ、その間で下半身衣類の端部が挟み込まれ、かつ、下半身衣類の繊維と係止シートの係止部群とが係止されるように構成されている請求項１記載の使い捨て吸収性物品。
【００１４】
（作用効果）
請求項１、２と同様の効果がある。
【００１５】
（削除）
【００１６】
（削除）
【００１７】
＜請求項４記載の発明＞
製品の前身頃の胴開口部に近い股下側の第１の位置と、胴開口部から遠い第２の位置とにおいて、少なくとも胴周り方向に間隔をおいて、前記係止シートと前記対向シートとの複数の対が対向状態で、製品の外面側に固定され、
前記第１の位置のシート対は股下側が開き可能であり、前記第２の位置のシート対は胴開口部側が開き可能である請求項３に記載の使い捨て吸収性物品。
【００１８】
（作用効果）
第１の位置のシート対によって、ズボンやスカートなどの下半身衣類とおむつを係止することができる。また、第２の位置のシート対によって、セーターなどの上半身衣類とおむつを係止することができる。
【００１９】
＜請求項５記載の発明＞
製品状態で、前記係止シートと前記対向シートとは対向状態で製品の前身頃の胴開口部より股下側の外面側に予め固定されている、請求項１〜４のいずれか１項に記載の使い捨て吸収性物品。
【００２０】
（作用効果）
両シートが予め製品の外面に固定されていることで、両シートを取り付ける手間を省くことができるとともに、取り付ける位置に迷うことがなくなる。
【００２１】
＜請求項６記載の発明＞
前記係止シートと前記対向シートとは製品の付属品として提供され、使用時に前記係止シートと前記対向シートとが、対向状態でその一方のシートを介して製品の外面に固定可能とされている請求項１〜４のいずれか１項に記載の使い捨て吸収性物品。
【００２２】
（作用効果）
両シートの取り付け位置を自由に決めることができ、着用者の体形に合わせて、より適切な位置でおむつと衣類を係止することができる。
【００２３】
＜請求項７記載の発明＞
前記係止シートと前記対向シートは、その一部が結合された結合部が形成され、
前記係止シートと前記対向シート間の係止を一時的に解いた状態においても、前記係止シートと前記対向シートは前記結合部で結合されており、
胴開口部側が開く係止シートと対向シートの対においては、前記結合部はシート対の下半身側に設けられる請求項１記載の使い捨て吸収性物品。
【００２４】
（作用効果）
結合部を設けることで、係止シートと対向シート間の係止を一時的に解いた場合であっても、両シートが完全に二枚に別れてしまうことを防ぐことができる。両シートが完全に二枚に別れてしまうと、再度係止する際に、位置決めが面倒になるため、これを防ぐことによって消費者の利便性を上げることができる。
【００２５】
＜請求項８記載の発明＞
前記係止シートと前記対向シートは、その一部が結合された結合部が形成され、
前記係止シートと前記対向シート間の係止を一時的に解いた状態においても、前記係止シートと前記対向シートは前記結合部で結合されており、
胴開口部側と股下側の両方に開く係止シートと対向シートの対においては、前記結合部はシート対の中間に設けられる請求項２記載の使い捨て吸収性物品。
【００２６】
（作用効果）
請求項７と同様の効果がある。
＜請求項９記載の発明＞
前記係止シートと前記対向シートは、その一部が結合された結合部が形成され、
前記係止シートと前記対向シート間の係止を一時的に解いた状態においても、前記係止シートと前記対向シートは前記結合部で結合されており、
胴開口部側が開く係止シートと対向シートの対においては、前記結合部はシート対の下半身側に設けられ、
股下側が開く係止シートと対向シートの対においては、前記結合部はシート対の上半身側に設けられる請求項３記載の使い捨て吸収性物品。
（作用効果）
請求項７と同様の効果がある。
【発明の効果】
【００２７】
本発明によれば、おむつのずれと、着用者の腹部の露出を防ぐことができる使い捨て吸収性物品を提供することができる。
【図面の簡単な説明】
【００２８】
【図１】パンツ式紙おむつの内面を示す、おむつを展開した状態における平面図である。
【図２】パンツ式紙おむつの外面を示す、おむつを展開した状態における平面図である。
【図３】図１の３−３断面図である。
【図４】図１の４−４断面図である。
【図５】図１の５−５断面図である。
【図６】係止シートと対向シート間に衣類を挟みこむ状態を示した断面図である。
【図７】係止シートと対向シートを係止した状態を示した断面図である。
【図８】係止シートと対向シートをおむつに付着させた状態を示した断面図である。
【図９】本発明に使用される様々な種類の雄材の断面図である。
【図１０】おむつと上半身衣類を係止シートで係止した状態を示した斜視図である。
【図１１】おむつと下半身衣類を係止シートで係止した状態を示した斜視図である。
【図１２】パンツ式紙おむつの外面を示す、おむつを展開した状態における平面図である。
【発明を実施するための形態】
【００２９】
以下、本発明の内容を、使い捨てパンツ式紙おむつを例に説明するが、本発明は必ずしもこの実施例に限定されるものではなく、特許請求の範囲を逸脱しない範囲内において種々の変更ができることはいうまでもない。
【００３０】
図１〜図５は、パンツ式紙おむつの一例１００を示している。このパンツ式紙おむつ１００は、製品外面（裏面）をなす外装シート１２と、外装シート１２の内面に貼り付けられた内装体２００とから構成されているものである。符号Ｙは展開状態におけるおむつの全長（前身頃Ｆのウエスト開口部ＷＯ（図１１参照）の縁から後身頃Ｂのウエスト開口部ＷＯの縁までの縦方向長さ）を示しており、符号Ｘは展開状態におけるおむつの全幅を示している。
【００３１】
内装体２００は、尿等の排泄物等を吸収保持する部分であり、外装シート１２は着用者に装着するための部分である。なお、断面図における色付き部分は各構成部材を接合する接合部分を示しており、ホットメルト接着剤などのベタ、ビード、カーテン、サミットまたはスパイラル塗布などにより形成されるものである。また、「前後方向」とは腹側（前側）と背側（後側）を結ぶ方向を意味し、「幅方向」とは前後方向と直交する方向（左右方向）を意味し、「上下方向」とはおむつ１００の装着状態、すなわちおむつ１００の前身頃両側部と後身頃両側部を重ね合わせるようにおむつ１００を股間部で２つに折った際に胴回り方向と直交する方向、換言すればウエスト開口部ＷＯ側と股間部側とを結ぶ方向を意味する。
【００３２】
（内装体）
内装体２００は任意の形状を採ることができるが、図示の形態では長方形である。内装体２００は、図３〜図５に示されるように、身体側となる表面シート３０と、不透液性バックシート１１と、これらの間に介在された吸収要素５０とを備えているものであり、吸収機能を担う本体部である。符号４０は、表面シート３０を透過した液を速やかに吸収要素５０へ移行させるために、表面シート３０と吸収要素５０との間に設けられた中間シート（セカンドシート）を示しており、符号６０は、内装体２００の両脇に排泄物が漏れるのを防止するために、内装体２００の両側に設けられた、身体側に起立する立体ギャザー６０を示している。
【００３３】
（表面シート）
表面シート３０は、液を透過する性質を有するものが好ましく、例えば、有孔又は無孔の不織布や、多孔性プラスチックシートなどを例示することができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンボンド法、スパンレース法が、嵩高性、ソフト性を求めるのであれば、エアスルー法、ポイントボンド法、サーマルボンド法が、好ましい加工方法となる。
【００３４】
（中間シート）
表面シート３０を透過した液を速やかに吸収体へ移行させるために、表面シート３０より液の透過速度が速い、中間シート（「セカンドシート」とも呼ばれている）４０を設けることができる。この中間シート４０は、液を速やかに吸収体へ移行させて吸収体による吸収性能を高めるばかりでなく、吸収した液の吸収体からの「逆戻り」現象を防止し、表面シート３０上を常に乾燥した状態とすることができる。中間シート４０は省略することもできる。
【００３５】
中間シート４０としては、表面シート３０と同様の素材や、スパンレース、スパンボンド、ＳＭＳ、パルプ不織布、パルプとレーヨンとの混合シート、ポイントボンド又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは２０〜８０ｇ／ｍ2が好ましく、２５〜６０ｇ／ｍ2がより好ましい。不織布の原料繊維の太さは２．２〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。
【００３６】
（不透液性バックシート）
不透液性バックシート１１の素材は、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シートなどを例示することができる。不透液性バックシート１１には、近年、ムレ防止の観点から好まれて使用されている不透液性かつ透湿性を有する素材を用いることが好ましい。透湿性を有するプラスチックフィルムとしては、ポリエチレンやポリプロピレン等のオレフィン系樹脂中に無機充填剤を混練して、シートを成形した後、一軸又は二軸方向に延伸して得られた微多孔性プラスチックフィルムが広く用いられている。このほかにも、マイクロデニール繊維を用いた不織布、熱や圧力をかけることで繊維の空隙を小さくすることによる防漏性強化、高吸水性樹脂または疎水性樹脂や撥水剤の塗工といった方法により、プラスチックフィルムを用いずに液不透過性としたシートも、不透液性バックシート１１として用いることができる。
【００３７】
（立体ギャザー）
立体ギャザー６０は、内装体２００の両側部に沿って前後方向全体にわたり延在する帯状部材であり、表面シート３０上を伝わって横方向に移動する尿や軟便を遮断し、横漏れを防止するために設けられているものである。本実施の形態の立体ギャザー６０は、内装体２００の側部から起立するように設けられ、付け根側の部分は幅方向中央側に向かって斜めに起立し、中間部より先端側の部分は幅方向外側に向かって斜めに起立するものである。
【００３８】
（吸収要素）
吸収要素５０は、吸収体５６と、この吸収体５６の全体を包む包装シート５８とを有する。包装シート５８は省略することもできる。
【００３９】
（吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。吸収体５６中には高吸収性ポリマー粒子を分散保持させるのが好ましい。
【００４０】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子５４としては、この種の吸収性物品に使用されるものをそのまま使用でき、例えば５００μｍの標準ふるい（ＪＩＳ Ｚ８８０１−１：２００６）を用いたふるい分け（５分間の振とう）でふるい上に残る粒子の割合が３０重量％以下のものが望ましく、また、１８０μｍの標準ふるい（ＪＩＳ Ｚ８８０１−１：２００６）を用いたふるい分け（５分間の振とう）でふるい上に残る粒子の割合が６０重量％以上のものが望ましい。
【００４１】
高吸収性ポリマー粒子の材料としては、特に限定無く用いることができるが、吸水量（ＪＩＳ  Ｋ７２２３−１９９６「高吸水性樹脂の吸水量試験方法」）が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００４２】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＳ不織布（ＳＭＳ、ＳＳＭＭＳ等）が特に好適であり、その材質はポリプロピレン、ポリエチレン／ポリプロピレン複合材などを使用できる。目付けは、５〜４０ｇ／ｍ2、特に１０〜３０ｇ／ｍ2のものが望ましい。
【００４３】
（外装シート）
外装シート１２は、股間部から腹側に延在する前身頃Ｆを構成する部分と、股間部から背側に延在する後身頃Ｂを構成する部分とを有し、これら前身頃Ｆの両側部と後身頃Ｂの両側部とが接合されて、図１０、図１１に示すように、装着者の胴を通すためのウエスト開口部ＷＯ及び脚を通すための左右一対の脚開口部ＬＯが形成されているものである。符号１２Ａは接合部分を示している（以下、この部分をサイドシール部ともいう）。なお、股間部とは、展開状態における前身頃Ｆのウエスト端縁から後身頃Ｂのウエスト端縁までの前後方向中央を意味し、それよりも前側の部分及び後側の部分が前身頃Ｆ及び後身頃Ｂをそれぞれ意味する。
【００４４】
外装シート１２は、ウエスト開口部ＷＯから脚開口部ＬＯの上端に至る前後方向範囲として定まる胴回り部Ｔと、脚開口部ＬＯを形成する部分の前後方向範囲（前身頃Ｆのサイドシール部１２Ａを有する前後方向領域と後身頃Ｂのサイドシール部１２Ａを有する前後方向領域との間）として定まる中間部Ｌとを有する。胴回り部Ｔは、概念的にウエスト開口部の縁部を形成する「ウエスト縁部」Ｗと、これよりも下側の部分である「ウエスト下部」Ｕとに分けることができる。これらの縦方向の長さは、製品のサイズによって異なり、適宜定めることができるが、一例を挙げると、ウエスト縁部Ｗは１５〜４０ｍｍ、ウエスト下部Ｕは６５〜１２０ｍｍとすることができる。一方、中間部Ｌの両側縁は被着者の脚周りに沿うように括れており、ここが着用者の脚を入れる部位となる。この結果、外装シート１２は、全体としては略砂時計形状をなしている。外装シート１２の括れの程度は適宜定めることができ、図１〜図５に示す形態のように、すっきりとした外観とするために最も幅が狭い部分では内装体２００の幅より狭くすることが好ましいが、最も幅が狭い部分でも内装体２００の幅以上となるように定めてもよい。
【００４５】
外装シート１２は、図３〜図５に示されるように、二枚のシート基材１２Ｓ，１２Ｈをホットメルト接着剤等の接着剤により張り合わせて形成されるものであり、内側に位置する内側シート基材１２Ｈはウエスト開口部ＷＯの縁までしか延在していないが、外側シート基材１２Ｓは内側シート基材１２Ｈのウエスト側の縁を回り込んでその内側に折り返されており、この折り返し部分１２ｒは内装体２００のウエスト側端部上までを被覆するように延在されている。
【００４６】
シート基材１２Ｓ，１２Ｈとしては、シート状のものであれば特に限定無く使用できるが、不織布であるのが好ましい。不織布は、その原料繊維が何であるかは特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。不織布を用いる場合、その坪量は１０〜３０ｇ／ｍ2程度とするのが好ましい。
【００４７】
また、外装シート１２を通して後述する識別用記入シート２５に記入した識別部を製品外面から良好に視認できるように、外装シート１２の総目付けは２０〜６０ｇ／ｍ2程度であるのが好ましく、外装シート１２のＪＩＳ Ｋ ７１０５に規定される全光線透過率が４０％以上、特に５０％以上となっているのが好ましい。
【００４８】
そして、外装シート１２には、胴回りに対するフィット性を高めるために、両シート基材１２Ｓ，１２Ｈ間に糸ゴム等の細長状弾性伸縮部材１５〜１９が所定の伸長率で設けられている。細長状弾性伸縮部材１５〜１９としては、合成ゴムを用いても、天然ゴムを用いても良い。外装シート１２の両シート基材１２Ｓ，１２Ｈの貼り合せや、その間に挟まれる細長状弾性伸縮部材１５〜１９の固定には種々の塗布方法によるホットメルト接着またはヒートシールや超音波接着を用いることができる。外装シート１２全面を強固に固定するとシートの風合いを損ねるため好ましくない。細長状弾性伸縮部材１５〜１９の接着は強固にし、それ以外の部分は接着しないか弱く接着するのが好ましい。
【００４９】
なお、図示のように、ウエスト下部弾性伸縮部材及び中間部弾性伸縮部材１５，１９，１６，１８が、内装体２００と重なる幅方向中央部を除いてその幅方向両側にそれぞれ設けられていると、内装体２００が幅方向に必要以上に収縮することがなく、モコモコと見た目が悪かったり吸収性が低下したりすることがない。この形態には、幅方向両側にのみ弾性伸縮部材が存在する形態の他、内装体２００を横切ってその幅方向一方側から他方側まで弾性伸縮部材が存在しているが、内装体２００と重なる幅方向中央部では弾性伸縮部材が細かく切断され、収縮力が作用せず（実質的には、弾性伸縮部材を設けないことに等しい）に、その幅方向両側のみが収縮力作用部分として構成されている形態も含まれる。もちろんウエスト下部弾性伸縮部材及び中間部弾性伸縮部材１５，１９，１６，１８の配設形態は上記例に限るものではなく、ウエスト下部Ｕの幅方向全体にわたり伸縮力が作用するように、ウエスト下部弾性伸縮部材及び中間部弾性伸縮部材１５，１９，１６，１８の一部または全部を、内装体２００を横切ってその幅方向一方側から他方側まで設けることもできる。
【００５０】
（係止シート）
係止シート８６は、基材シート８６ａと、基材シート８６ａの面に多数形成される係止部８６ｂからなる。係止部８６ｂの形状としては、図９にしたように、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であっても良い。好ましいのは衣類８９やおむつの外装シート１２の繊維に絡み易い形状、例えばレ字状、Ｊ字状、Ｔ字状、ダブルＪ字状のものである。なお、基材シート８６ａは、不織布、プラスチックフィルム、ポリラミ不織布、紙またはこれらの複合素材からなる。
【００５１】
（対向シート）
対向シート８５は係止シート８６と対向し、この係止シート８６の係止部８６ｂを被覆するシートである。対向シート８５と係止シート８６は、互いに対向した状態で製品の外面側に固定される。対向シート８５のうち係止シート８６と対向する面には、係止シート８６の係止部８６ｂと係止する被係止部８５ｂを設けるのが好ましい。被係止部８５ｂを設けることで、係止シート８６と対向シート８５を係止しやすくできるとともに、両シートを分離する際に分離しやすくできる。この係止部８６ｂと被係止部８５ｂを例示すると、係止部８６ｂとしては、メカニカルテープのオス材を挙げることができ、被係止部８５ｂとしては、メカニカルテープのメス材を挙げることができる。なお、被係止部８５ｂを設けない場合であって、対向シート８５を構成する素材の性質からシート表面にループ形状などの凹凸が形成されている場合は、係止部８６ｂを対向シート８５に係止することができる。しかし、対向シート８５を構成する素材の性質からシート表面に凹凸が生じず滑らかな場合は、係止部８６ｂが対向シート８５に係止できず、両シート間は結合されていない不安定な状態となる。
【００５２】
（結合部）
係止シート８６と対向シート８５は、その一部が接着剤等によって完全に結合されていることが好ましい。この結合部分（以下、「結合部（８７）」という）を設けることで、係止シート８６と対向シート８５間の係止を一時的に解いた場合であっても、両シートが完全に二枚に別れてしまうことを防ぐことができる。両シートが完全に二枚に別れてしまうと、再度係止する際に、位置決めが面倒になるため、これを防ぐことによって消費者の利便性を上げることができる。係止シート８６と対向シート８５の対（以下、「シート対」という）が、図２の第一の位置に設けられた場合は、第一の位置のシート対８１は、図１１に示すように下半身に着用する衣類８９と係止するため、係止シート８６と対向シート８５の間が股間部側に開くようにすると良い。そのため、第一の位置のシート対８１においては、結合部８７を第一のシート対の最も上半身側に設けると良い。一方、シート対が、図２の第二の位置に設けられた場合は、第二の位置のシート対８２は、上半身に着用する衣類８９と係止するため、係止シート８６と対向シート８５の間が胴側に開くようにすると良い。そのため、第二の位置のシート対８２においては、結合部８７を第二のシート対の最も下半身側に設けると良い。
【００５３】
一方、図８や図１０に示すように、シート対がおむつと別体になることができる場合、言い換えるならば、おむつの外装シート１２に対してシート対を好きな位置に自由に係止できるような場合は、そのシート対をおむつのどの位置に係止するかによって、係止シート８６と対向シート８５間の開口すべき方向が変わる。詳細には、上半身に着用する衣類８９を挟むことを目的とする場合は、胴側に開口することが望まれ、下半身に着用する衣類８９を挟むことを目的とする場合は、股間部側に開口することが望まれる。そのため、このような別体になるシート対は、どちらの方向にも開口できるように、そのシートの中央近傍に結合部８７を設けることが好ましい。
【００５４】
（シート対の配置）
シート対を予め製品に取り付けて、シート対が製品から剥がれない状態にしておく場合は、図４に示すように、製品の外装シート１２Ｓと１２Ｈの間に係止シート８６を設けるのが好ましい。この場合、外装シート１２Ｈと係止シート８６の間に対向シート８５を設けることもできるが、外装シート１２Ｈが対向シート８５の役割を担うことができるため、対向シート８５を別途設ける必要はない。言い換えるならば、図４のようなシート配置をした場合、対向シート８５とは、外装シート１２Ｈのことをいう。また、係止シート８６を摘みやすくするために、係止シート８６の外面に別のシートを張り付けて厚みを増やすことが好ましいが、図４のようなシート配置をすることで、外装シート１２Ｓがこの別のシートの役割を担うことができ、別途別のシートを設けなくても良いという利点もある。また、対向シート８５（外装シート１２Ｈ）から、係止シート８６を剥がす作業をする際の便宜のため、係止シート８６の外縁に対応する外装シート１２に予めミシン目などの切欠き９３を設けておき、係止シート８６の外側にある外装シート１２Ｓが容易に破けるようにしておくのが好ましい。なお、外装シート１２Ｈと係止シート８６の間は、ホットメルト接着、ヒートシール接着および超音波接着などの接着は行われない。外装シート１２Ｈと係止シート８６の間を係止部８６ｂと被係止部８５ｂによって係止されるようにしても良い。外装シート１２Ｓと係止シート８６の間は、ホットメルト接着、ヒートシール接着および超音波接着などによって接合される。
【００５５】
シート対を予め製品に取り付けて、シート対が製品から剥がれない状態にしておく場合においては、図４のようなシート配置以外にも、外装シート１２Ｓの外面に対向シート８５と係止シート８６からなるシート対を接合するようにすることもできる。この場合、シート対は、製品の外装シート１２の外面に既存の接合方法によって接合することができる。この場合の接合方法の例としては、ホットメルト接着、ヒートシール接着および超音波接着などを挙げることができる。
【００５６】
また、シート対は、例えば、図２の第一の位置または第二の位置に設けることができる。この場合、第一のシート対８１や第二のシート対８２を胴周り方向に間隔をおいて複数設けるようにすることが好ましい。シート対を複数設けることで、１つだけ設ける場合よりも、衣類とおむつをより安定的に係止することができる。なお、シート対を１つだけ設ける場合であっても、図１２の後身頃に示すように、例えばシート対を長方形のような横に長い形状にすれば、衣類とおむつを安定的に係止することができる。
【００５７】
図２においては、第一のシート対８１や第二のシート対８２を胴周り方向に間隔をおいて複数設けた例を示したが、図１２の前身頃に示すように、第一のシート対８１や第二のシート対８２を１つだけ配置するようにしても良い。この場合、衣類とおむつを安定的に係止する観点から、そのシート対は幅方向中央に配置するのが好ましい。
【００５８】
図２で示す第一の位置のシート対８１は、そのシート間に下半身の衣類を挟み込む。そのため、第一の位置のシート対８１は、製品の胴開口部の近辺に設けるのが好ましい。胴開口部から遠く離れて、例えば股間部に第一の位置のシート対８１を設けた場合、ズボンやスカートの胴回り部端部とおむつを結合するのが実質的に困難となるため、好ましくない。
【００５９】
また、図２で示す第二の位置のシート対８２は、そのシート間に上半身の衣類を挟み込む。そのため、第二の位置のシート対８２は、製品の胴開口部から股間部側へ遠く離れた位置に設けるのが好ましい。胴開口部から遠く離れた場所に設けることで、通常の着丈の上半身衣類の端部を挟み込むことができる。
【００６０】
図２においては、第一の位置のシート対８１と第二の位置のシート対８２を両方とも設けた場合を示したが、上半身の衣類と係止するか、下半身の衣類と係止するかの目的によって、どちらか一方のシート対のみを設けるようにしてもよい。
【００６１】
なお、シート対を取付ける位置は、伸縮性弾性部材が配されていない印刷シート上が好ましい。
【００６２】
さらに、図２においては、シート対を前身頃と後身頃の両方に設けた場合を示したが、シート対を前身頃だけに設けた場合であっても、乳幼児の腹部の露出を十分に防ぐことができる。
【００６３】
一方で、シート対が製品と完全に別体となる場合は、そのシート対９０はおむつの表面の任意の箇所に取り付けることができる。図１０は、胴周り近傍にシート対を取り付けて、上半身の衣類を挟み込んだ状態を示している。
【００６４】
（シート対の大きさ、形状）
シート対８１、８２の大きさと形状は、例えば前後方向の長さが２０ｍｍ〜３５ｍｍ、幅方向の長さが２０〜３５ｍｍ程度の正四角形とすることができる。そのほか、図１２の後身頃に示したような長方形や、円形、楕円形など任意の形状とすることもでき、その形状に合わせて各辺、弧の長さも任意に変えることができる。また、シート対９０の大きさと形状は、例えば直径の長さが４０ｍｍ〜１４０ｍｍ程度の円形状とすることができる。そのほか、図１０に示したようなキャラクターの形状や、正四角形、長方形、円形、楕円形など任意の形状とすることもでき、その形状に合わせて各辺、弧の長さも任意に変えることができる。
【００６５】
（係止部材）
シート対が製品と完全に別体となる場合は、シート対の外面に、製品の外装シート１２とメカニカルに係止する係止部材８８が設けられるのが好ましい。この係止部材８８が外装シート１２の繊維と絡まって接合することで、シート対を製品に固定することができる。この係止部材８８は、上記係止部８６ｂと同様の種々の形状を採用することができる。図８においては、係止シート８６の外面に係止部材８８を設け、係止シート８６の外面に設けた係止部材８８を介して、シート対がおむつの外装シート１２と係止している状態を示した。本発明はこのような形態に限られるものではなく、対向シート８５の外面に係止部材８８を設け、対向シート８５の外面に設けた係止部材８８を介して、シート対がおむつの外装シート１２と係止するような構造としても良い。
【００６６】
（シート対の表面）
シート対が製品と完全に別体となる場合において、シート対の表面が、文字または図柄を記入できる素材で構成されていることが好ましい。消費者が好きな文字や図柄を記入できるようになると、例えば、保護者が幼児の好きな動物の絵柄を記入した場合に、幼児の製品に対する愛着を高めることができる。この構成のシート対は、例えば、洋紙や和紙をシート対の外面に貼り付けることで製造することができる。
【００６７】
（係止過程）
以下に、第一の位置のシート対８１を使用して衣類を係止する過程を説明する。
消費者が本発明に係る吸収性物品を着用した上に衣類を着用した後、製品の前身頃に設けられた第一の位置のシート対８１の係止シート８６と対向シート８５との間を開き、その間に下半身の衣類の端部を挟み込む。そして、衣類の繊維と係止シート８６の係止部８６ｂの群（係止部群）を係止する。これにより、吸収性物品が下半身の衣類と繋がった状態となるため、吸収性物品のずれ落ちを防ぐことができる。なお、図１１が、第一の位置のシート対８１を使用して衣類を係止した状態を示した斜視図である。
【００６８】
次に、第二の位置のシート対８２を使用して衣類を係止する過程を説明する。
消費者が本発明に係る吸収性物品を着用した上に衣類を着用した後、製品の前身頃に設けられた第二の位置のシート対８２の係止シート８６と対向シート８５との間を開き、その間に上半身の衣類の端部を挟み込む。そして、衣類の繊維と係止シート８６の係止部８６ｂの群（係止部群）を係止する。これにより、吸収性物品が上半身の衣類と繋がった状態となるため、吸収性物品のずれ落ちを防ぐことができる。同時に、上半身の衣類と吸収性物品間の隙間を無くす、若しくは少なくすることができる。したがって、例えば、腹部が突出した形状の乳幼児が本発明に係る使い捨て吸収性物品を着用した場合であったとしても、上半身の衣類が捲れないため、腹部の露出を防ぐことができる。
【００６９】
さらに、吸収性物品と別体になり得るシート対９０を使用して衣類を係止する過程を説明する。
消費者が本発明に係る吸収性物品を着用した上に衣類を着用した後、係止部材８８を用いてシート対９０を製品外面の好みの位置に係止する。そして、シート対９０の係止シート８６と対向シート８５との間を開き、その間に上半身の衣類の端部を挟み込む。そして、衣類の繊維と係止シート８６の係止部８６ｂの群（係止部群）を係止する。これにより、吸収性物品が上半身の衣類と繋がった状態となるため、吸収性物品のずれ落ちを防ぐことができる。同時に、上半身の衣類と吸収性物品間の隙間を無くす、若しくは少なくすることができる。したがって、例えば、腹部が突出した形状の乳幼児が本発明に係る使い捨て吸収性物品を着用した場合であったとしても、上半身の衣類が捲れないため、腹部の露出を防ぐことができる。図１０が、シート対９０を使用して衣類を係止した状態を示した斜視図である。上記の例においては、シート対９０と上半身の衣類を係止した例を示したが、シート対９０と下半身の衣類を係止することもでき、この場合は、第一の位置のシート対８１を用いて衣類を固定した場合と同様の効果を得ることができる。
【００７０】
なお、シート対９０は、第一の位置のシート対８１や第二の位置のシート対８２とは異なり、何度も貼り直しをすることができるため、着用者の体形に合わせて、より適切な位置でおむつと衣類を係止することができるというメリットがある。
【００７１】
（揮発成分）
一般に、紙おむつのパッケージにはミシン目があるため、揮発成分を塗布した商品を紙おむつと一緒にパッケージ内に封入することはできない。しかし、本発明の取り外しができるシート対９０のように、おむつと別体になるものであれば、揮発成分を塗布することができる。そのため、シート対９０に、例えば、乳幼児用の虫除け剤や、排泄物の臭いをマスキングする芳香剤などを塗布することで、虫除け効果や臭いのマスキング効果を得ることができるというメリットがある。
【００７２】
（印刷シート）
不透液性バックシート１１と外装シート１２との間（外装シート１２の層間を含む）には、印刷によりデザインの施された印刷シート２５が設けられている。外装シート１２を省略し、印刷シート２５が外面に露出する形態とすることもできる。また、図示例の印刷シート２５は、それが配置される身頃よりも小さい面積を有しており、前身頃Ｆ及び後身頃Ｂに個別に設けられているが、前身頃Ｆから股間部を通り後身頃Ｂまで一体的に連続するように設けることもできる。
【００７３】
印刷シート２５の寸法・形状は特に限定されないが、機能を十分なものとするためには十分に面積を大きくするのが好ましく、例えば、印刷シート２５の幅は吸収体５６の幅の５０〜１２０％程度であるのが好ましく、印刷シート２５の長さは少なくとも腹側及び背側の片側で物品全長Ｙの１５〜３０％程度であるのが好ましい。また、印刷シート２５の形状はトリムロスが発生しない点では図示例のような矩形であるのが好ましいが、円形や楕円形、三角形、六角形等の幾何学形状、若しくはデザインの周囲に沿う形状にカットしても良い。
【００７４】
印刷シート２５のシート基材としては、プラスチックフィルムや不織布、紙などを用いることができるが、嵩高く通気性の高い素材が好ましい。プラスチックフィルムを用いる場合は、ムレ防止のため透湿性を有することが望ましい。不織布や紙は透湿性を有するため好ましく、デザイン印刷を施す場合、不織布にあっては平滑性が高く印刷しやすいもの、紙にあっては強度が高くインクの滲み難いものを用いるのが好ましい。特に好ましいものとしては、目付け１５〜３５ｇ／ｍ2程度、厚み０．１〜０．３ｍｍ程度のクレープ紙（薄葉紙）や、目付け１０〜２５ｇ／ｍ2程度、厚み０．１〜０．３ｍｍ程度の不織布（特にスパンボンド部の繊度が１．０〜３．０ｄｔｅｘ程度のスパンボンド不織布やＳＭＳ不織布）を挙げることができる。クレープ紙を用いる場合は、クレープ率は５〜２０％程度、特に５〜１５％程度のものを用いるのが好ましい。クレープ率が２０％以上であると、インクの定着量は大きくなるが滲みが生じてデザイン印刷には適さない。クレープ率が５％以下であるとインクが浸透しにくいため定着量が少ない。
【００７５】
（外装シート分割構造）
上述の例では、前身頃Ｆから後身頃Ｂまでを一体的な外装シート１２により連続的に覆っているが、外装シートが、装着者の胴回りのうち腹側を覆う腹側外装シートと背側を覆う背側外装シートとに分割されており、腹側外装シートの幅方向中央部内面に内装体の前端部がホットメルト接着剤等により連結されるとともに、背側外装シートの幅方向中央部内面に内装体の後端部がホットメルト接着剤等により連結されており、腹側外装シートと背側外装シートとが股間側で連続しておらず、離間されている形態も採用することができる。この離間距離は１５０〜２５０ｍｍ程度とすることができる。この場合、内装体における不透液性バックシートの裏面には、内装体の裏面全体を覆うように、あるいは腹側外装シートと背側外装シートとの間に露出する部分全体を覆うように、股間部外装シートを固定することもできる。股間部外装シートとしては、前述した外装シートに用いられるものと同様の資材を用いることができる。股間部外装シートも本発明の外装シートに相当する。
【産業上の利用可能性】
【００７６】
本発明は、上記例のようなパンツタイプ使い捨ておむつのほか、テープタイプやパッドタイプの使い捨ておむつに利用することができるものである。
【符号の説明】
【００７７】
１１…不透液性バックシート、１２…外装シート、１２ｒ…折り返し部分、２５…印刷シート、２００…内装体、３０…トップシート、４０…中間シート、５０…吸収要素、５６…吸収体、５８…包装シート、６０…立体ギャザー、６２…ギャザーシート、６３…細長状弾性部材、６４…防水フィルム、６５…取付け部分、６６…突出部分、６７…前後固定部、７０…後処理テープ、８１…第一の位置のシート対、８２…第二の位置のシート対、８５…対向シート、８５ｂ…被係止部、８６…係止シート、８６ａ…基材シート、８６ｂ…係止部、８７…結合部、８８…係止部材、８９…衣類、９０…吸収性物品と別体化可能なシート対、９３…切欠き
【図１】
0006008507.tif 000002
【図２】
0006008507.tif 000003
【図３】
0006008507.tif 000004
【図４】
0006008507.tif 000005
【図５】
0006008507.tif 000006
【図６】
0006008507.tif 000007
【図７】
0006008507.tif 000008
【図８】
0006008507.tif 000009
【図９】
0006008507.tif 000010
【図１０】
0006008507.tif 000011
【図１１】
0006008507.tif 000012
【図１２】
0006008507.tif 000013